(57)【特許請求の範囲】
【請求項１】
プロセッサから送信される複数のパルス信号に基づいて撮像動作を行う撮像素子を先端に有する電子スコープ用の電源システムであって、
一つの前記パルス信号を、第一経路を伝送する駆動用パルス信号と第二経路を伝送する直流電圧生成用信号とに分岐する信号分岐手段と、
前記第二経路を経て入力する直流電圧生成用信号を用いて直流電圧を生成し、該直流電圧を前記撮像素子に印加する電源回路と、を有し、
前記撮像素子は、前記駆動用パルス信号が入力することにより所定の撮像動作を行うことを特徴とする電子スコープ用電源システム。
【請求項２】
請求項１に記載の電子スコープ用電源システムは、
前記直流電圧をＶとすると、電圧Ｖは、
Ｖ＝（Ａ−Ｂ）×ｄ／１００＋Ｂ
但し、Ａは、前記直流電圧生成用信号における、ハイレベル時の電圧値の絶対値とローレベル時の電圧値の絶対値とを比較して大きい方の値、
Ｂは、前記直流電圧生成用信号における、ハイレベル時の電圧値の絶対値とローレベル時の電圧値の絶対値とを比較して小さい方の値、
ｄは、前記直流電圧生成用信号のデューティ比（％）である。により算出されること、を特徴とする電子スコープ用電源システム。
【請求項３】
プロセッサから送信される複数のパルス信号に基づいて撮像動作を行う撮像素子を先端に有する電子スコープ用の電源システムにおいて、
入力する前記複数のパルス信号を、それぞれ第一経路を伝送する第一信号と第二経路を伝送する第二信号とに分岐する複数の信号分岐手段と、
各信号分岐手段によって分岐された少なくとも二つ以上の第二信号を加算して直流電圧生成用信号を生成する加算手段と、
前記加算手段から出力される前記直流電圧生成用信号を用いて直流電圧を生成し、該直流電圧を前記撮像素子に印加する電源回路と、を有し、
前記撮像素子は、各信号分岐手段から出力された前記第一信号が入力することにより所定の撮像動作を行うことを特徴とする電子スコープ用電源システム。
【請求項４】
請求項１から請求項３のいずれかに記載の電子スコープ用電源システムにおいて、前記電源回路は、
前記直流電圧生成用信号を平滑化して前記直流電圧を生成する平滑回路を有することを特徴とする電子スコープ用電源システム。
【請求項５】
請求項４に記載の電子スコープ用電源システムにおいて、
前記平滑回路は、少なくとも一つのコンデンサを備えることを特徴とする電子スコープ用電源システム。
【請求項６】
請求項４または請求項５に記載の電子スコープ用電源システムにおいて、前記電源回路は、さらに、
前記直流電圧生成用信号を整流する半波整流回路を有し、
前記平滑回路は、前記半波整流回路により整流された信号を平滑化することを特徴とする電子スコープ用電源システム。
【請求項７】
請求項４または請求項５に記載の電子スコープ用電源システムにおいて、前記電源回路は、さらに、
前記直流電圧生成用信号を整流する全波整流回路を有し、
前記平滑回路は、前記全波整流回路により整流された信号を平滑化することを特徴とする電子スコープ用電源システム。
【請求項８】
請求項１から請求項７のいずれかに記載の電子スコープ用電源システムは、
前記電源回路によって生成された前記直流電圧を抵抗分割する抵抗回路を備えることを特徴とする電子スコープ用電源システム。
【請求項９】
請求項１から請求項８のいずれかに記載の電子スコープ用電源システムは、前記撮像素子の近傍に配設されることを特徴とする電子スコープ用電源システム。
【請求項１０】
請求項１から請求項９のいずれかに記載の電子スコープ用電源システムは、前記撮像素子と一体形成されていること、を特徴とする電子スコープ用電源システム。
【請求項１１】
請求項１から請求項１０のいずれかに記載の電子スコープ用電源システムにおいて、前記電源回路は、さらに、
前記直流電圧生成用信号の振幅を所定範囲内に制限する振幅制限回路を有することを特徴とする電子スコープ用電源システム。
【請求項１２】
撮像素子、および前記撮像素子に対して請求項１から請求項１０のいずれかに記載の電子スコープ用電源システムのうち少なくとも一つを有する電子スコープと、
パルス信号を生成し、該パルス信号を前記電子スコープに送信する信号生成手段を有するプロセッサとを有し、前記信号生成手段が前記パルス信号の振幅を変化させることにより、撮像素子に印加される直流電圧の電圧値が変化することを特徴とする電子内視鏡装置。
【請求項１３】
撮像素子、および前記撮像素子に対して請求項１から請求項１１のいずれかに記載の電子スコープ用電源システムのうち少なくとも一つを有する電子スコープと、
パルス信号を生成し、該パルス信号を前記電子スコープに送信する信号生成手段を有するプロセッサとを有し、前記信号生成手段が前記パルス信号のデューティ比を変化させることにより、撮像素子に印加される直流電圧の電圧値が変化することを特徴とする電子内視鏡装置。
【発明の詳細な説明】
【０００１】
【発明の属する技術分野】
この発明は、体腔内を観察するために使用される電子内視鏡装置、特に該電子内視鏡装置を構成する電子スコープに関する。
【０００２】
【従来の技術】
一般的に、体内を観察するために使用される電子内視鏡装置は、光源部や画像処理部を備えるプロセッサと、被検者の体内に挿入され体内を照明すると同時に先端に設けられたＣＣＤ（Charge Coupled Device）等の撮像素子によって撮像を行う電子スコープと、から構成されている。
【０００３】
上記のとおり被検者の体内に挿入される電子スコープは、内視鏡観察中における被検者の苦痛を少しでも和らげる観点から、より細径であるほうが好ましいとされる。
【０００４】
近年、他の機器に使用される撮像素子同様、電子スコープ先端に配設される撮像素子も、高画素化されたり小型化されたりして、より高性能なものが使用されつつある。これにより、術者は、より高精度かつ鮮明な観察部位の画像を観察して、迅速かつ適切な処置を採ることが可能になった。
【０００５】
ところが、このような高性能な撮像素子を使用すると、従来の撮像素子に比べ、該撮像素子を駆動するために必要な、パルス信号や電圧の種類も増加する。すなわち高性能な撮像素子を電子内視鏡装置に使用する場合、プロセッサによって生成されるパルス信号や電源電圧を該撮像素子に伝送、印加するために必要なパルス信号用ケーブルや給電ケーブルの本数を増加しなくてはならない。このことは、電子スコープの径を太くしなくてはならないことを意味する。
【０００６】
電子スコープの径を細くするために、所定のケーブル上に駆動電圧とパルス信号を重畳させてケーブルを共通化させる方法も考えられる。しかし、該方法では、電源電圧が特定の信号に影響を及ぼし、信号劣化を起こしかねず適切ではない。つまり従来は、高性能な撮像素子を使用することにより電子スコープが太径化することに対する具体的な解決策が存在しなかった。
【０００７】
【発明が解決しようとする課題】
そこで本発明は上記の事情に鑑み、高性能な撮像素子を使用した場合であっても、電子スコープの径を細くすることができる電子スコープ用電源システム、および電子内視鏡装置を提供することを目的とする。
【０００８】
【課題を解決するための手段】
このため、請求項１に記載の電子スコープ用電源システムは、プロセッサから送信される複数のパルス信号に基づいて撮像動作を行う撮像素子を先端に有する電子スコープ用の電源システムであって、一つのパルス信号を、第一経路を伝送する駆動用パルス信号と第二経路を伝送する直流電圧生成用信号とに分岐する信号分岐手段と、第二経路を経て入力する直流電圧生成用信号を用いて直流電圧を生成し、該直流電圧を撮像素子に印加する電源回路とを有する。そして撮像素子は、第一経路を経て入力する駆動用パルス信号に対応して所定の撮像動作を行うことを特徴とする。
【０００９】
上記の構成によれば、給電ケーブルをなくすことができるため、細径のスコープが提供される。また、本発明であれば、多画素化に伴い複数の電源が必要になっても、同じく多画素化によって増加したパルス信号をそのまま活用して複数の電源電圧を得ることができる。
【００１０】
上記発明のように、一つのパルス信号を使用する場合、簡素な構成で撮像素子を駆動するのに必要な駆動用直流電圧を生成することが可能である。該駆動電圧の電圧値Ｖは、Ｖ＝（Ａ−Ｂ）×ｄ／１００＋Ｂで求めることができる。但し、Ａは、直流電圧生成用信号における、ハイレベル時の電圧値の絶対値とローレベル時の電圧値の絶対値とを比較して大きい方の値、Ｂは、直流電圧生成用信号における、ハイレベル時の電圧値の絶対値とローレベル時の電圧値の絶対値とを比較して小さい方の値、ｄは、直流電圧生成用信号のデューティ比（％）である（請求項２）。
【００１１】
また、請求項３に記載の電子スコープ用電源システムは、入力する複数のパルス信号を、それぞれ第一経路を伝送する第一信号と第二経路を伝送する第二信号とに分岐する複数の信号分岐手段と、各信号分岐手段によって分岐された少なくとも二つ以上の第二信号を加算して直流電圧生成用信号を生成する加算手段と、加算手段から出力される直流電圧生成用信号を用いて直流電圧を生成し、該直流電圧を撮像素子に印加する電源回路とを有する。そして、撮像素子は、第一経路を経て入力する第一信号に対応して撮像動作を行うことを特徴とする。
【００１２】
請求項３に記載の発明によれば、加算手段を使用して二つの信号を合成することにより、生成される電圧の採りうる値が広くなり、任意の電圧を設定しやすくなる。つまり、撮像素子をより効率的に駆動制御することができる。
【００１３】
上記電源回路には、直流電圧生成用信号を平滑化する平滑回路があるのが望ましい（請求項４）。これにより、パルス信号から一定の直流電圧を容易に生成することができる。具体的には、少なくとも一つのコンデンサを備えることが望ましい（請求項５）。複数設けることにより、より高い電圧を得ることができる。たとえば、二つならば略倍の電圧を得ることができる。
【００１４】
該電源回路には、さらに整流回路を備えることができる。これにより、より安定した直流電圧を撮像素子に印加することができる。整流回路として全波整流回路を使用すれば、パルス信号が正負両方の振幅を有するものであっても、常に一定の電圧を供給することができる。また、電圧生成に使用するパルス信号の振幅が正負どちらを有しているか定かでない場合にも、全波整流回路を備える電源回路であれば、一定の電圧を常に撮像素子に印加することができる。たとえば、全波整流回路としては、ダイオードブリッジ等が考えられる。
【００１５】
請求項８に記載の電子スコープ用電源システムによれば、電源回路によって生成された直流電圧を抵抗分割する抵抗回路を備えることを特徴としている。この発明によれば、一つの電源回路から複数の直流電圧を生成することが可能になる。従って、本発明を搭載する電子スコープは、スコープ径を細く維持したままの状態で、多画素化に伴い複数の電源電圧が必要となった撮像素子を使用することができる。
【００１６】
本発明にかかる電子スコープ用電源システムは、電子スコープに搭載される撮像素子によっては、該撮像素子近傍に配設することも、該撮像素子に一体形成することも可能である。
【００１７】
上記電源回路で生成される電圧の値は、プロセッサ内に設けられた信号生成手段において、パルス信号のデューティ比または振幅を変化させることで自在に変えることができる。
【００１８】
【発明の実施の形態】
図１は本発明の実施形態の電子内視鏡装置１００の概略構成図である。内視鏡装置１００は、プロセッサ１００ａ、スコープ１００ｂとから構成される。プロセッサ１００ａは、光源部１１０、メイン制御部１２０、画像信号処理回路１３０及びフロントパネルスイッチ１４０とを有し、モニタ１８０が接続される。スコープ１００ｂは、先端にＣＣＤ１６０を備え、ＣＣＤ１６０近傍に電源生成部１５０を備える。さらに、スコープ１００ｂは、光源部１１０から発光される光を先端まで導くライトガイド１７０を有する。
【００１９】
電子内視鏡装置１００を使用すると観察部位は次のようにして撮像される。まず、メイン制御部１２０は、術者がフロントパネルスイッチ１４０を操作して行った設定に基づいて、光源部１１０から光を発光させる発光状態とする。また、メイン制御部１２０は、ＣＣＤ１６０を駆動するための複数のパルス信号を生成し、スコープ１６０に連続的に送信する。パルス信号は、どれも一定の周期を持っており、たとえば水平駆動パルスや垂直駆動パルスなどがある。
【００２０】
メイン制御部１２０の制御に基づいて、光源部１１０から発光された光は、ライトガイド１７０内を導かれ、スコープ１００ｂの先端にある射出端１７０ａから観察部位に向けて照射される。該先端に備えられているＣＣＤ１６０は、発光状態にあるとき、観察部位で反射された光を受光することにより受光面に形成された光学像に対応する電荷を蓄積し、画像信号処理回路１３０に蓄積電荷に基づく電圧値（画像信号）として出力する。画像信号処理回路１３０は、ＣＣＤからの画像信号に基づいて所定の処理を行った後、画像信号をビデオ信号としてモニタ１８０に出力する。モニタ１８０は、ビデオ信号に対応する画像を表示する。
【００２１】
以下、ＣＣＤ１６０が行う撮像動作について詳述する。図２は、スコープ１００ｂ先端近傍に配設された電源生成部１５０およびその周辺の電気回路図である。ＣＣＤ１６０は、本発明の特徴である電源生成部１５０から印加される複数の電圧を用いて、上記撮像動作を行っている。電源生成部１５０は、メイン制御部１２０から送信されるパルス信号を用いて複数の直流電圧を生成している。つまりＣＣＤ１６０は、プロセッサ１００ａから電源を供給されているのではない。そのため、従来のスコープに必要とされていたプロセッサからＣＣＤまでの給電ケーブルは不要となる。従ってスコープ１００ｂは、従来のスコープに比べて細径に構成することが可能になる。また一般に、ＣＣＤ１６０は、撮像動作（つまり、電荷の蓄積および転送）を行うために複数の駆動用直流電圧を必要としている。そのため本実施形態では、電源生成部１５０内に構成の異なる二つの電源回路１５０ａ、１５０ｂ、および抵抗回路１５０ｃを設けて、複数の直流電圧を生成している。以下、各回路１５０ａ、１５０ｂ、１５０ｃを詳説する。
【００２２】
まず、電源回路１５０ａについて説明する。プロセッサ１００ａのメイン制御部１２０で生成されたパルス信号Ｓ１は、ドライブバッファｄｂ１を介してスコープ１００ｂ内の電源回路１５０ａに送信される。なお、上記パルス信号Ｓ１は、特定のパルス信号である必要はなく、メイン制御部１２０から送信される複数のパルス信号のうちの任意の一つを意味する。後述するパルス信号Ｓ２やパルス信号Ｓ３も同じである。
【００２３】
電源回路１５０ａに入力したパルス信号Ｓ１は、分岐点Ｐ１において、経路Ｌ１と経路Ｌ２とに分岐される。本明細書では、Ｐ１のように、入力する信号を二つの経路に分岐する点のことを分岐点という。分岐点における、入力前の信号と出力後の二つの信号とは、略同一の振幅や略同一のデューティ比を有する。分岐されて経路Ｌ１を伝送する信号（分岐点Ｐ１における第一信号）は、バッファ１を介してＣＣＤ１６０に入力し、ＣＣＤ１６０を駆動させる。つまり経路Ｌ１を伝送する信号は、ＣＣＤ１６０を駆動するためのパルス信号（駆動用パルス信号）として用いられる。
【００２４】
一方、分岐点Ｐ１で分岐されて経路Ｌ２を伝送する信号（分岐点Ｐ１における第二信号）は、バッファ２を介して全波整流回路３に入力し整流化される。全波整流回路３は、ダイオードブリッジ回路である。全波整流回路３によって整流化された信号は、さらに平滑コンデンサ４によって平滑化されて、直流電圧Ｖ１としてＣＣＤ１６０に印加する。このように経路Ｌ２を伝送する信号は、メイン制御部１２０からＣＣＤ１６０を駆動するために出力された直流電圧生成用信号として機能する。
【００２５】
なお、メイン制御部１２０から送信されるパルス信号は、一般に正の振幅を有するものだけでなく、負の振幅を有するものや正負両方の振幅を有するものもある。そのため本実施形態では、どの種類のパルス信号が電源回路１５０ａに入力したとしても、必ず所定の電圧がＣＣＤ１６０に印加されるように、全波整流回路３を配設している。従って、スコープ１００ｂの組立工程において、予め、該スコープ１００ｂが接続されるプロセッサ１００ａが決まっており、直流電圧生成に使用されるパルス信号の種類も分かっているのであれば、全波整流回路３は必ずしも設ける必要はない。
【００２６】
たとえば、正のみまたは負のみの振幅を有するパルス信号が電圧生成に使用されると分かっているのであれば、ダイオードを一つだけ使用した半波整流回路を用いた構成にしたり、整流回路を用いない構成にしたりすることができる。半波整流回路を用いた構成は、簡素な構成で安定した直流電圧を生成することができる。また、整流回路を用いない構成は、コストダウンを図ることができる。
【００２７】
電源回路１５０ａで生成される直流電圧の電圧値Ｖ１は、以下の式によって求めることができる。
Ｖ１＝（Ａ−Ｂ）×ｄ／１００＋Ｂ
但し、Ａは、直流電圧生成用信号における、ハイレベル時の電圧値の絶対値とローレベル時の電圧値の絶対値とを比較して大きい方の値、Ｂは、直流電圧生成用信号における、ハイレベル時の電圧値の絶対値とローレベル時の電圧値の絶対値とを比較して小さい方の値、ｄは、直流電圧生成用信号の一周期中、Ａに対応するレベルが占める割合、つまり直流電圧生成用信号のデューティ比（％）、である。Ａ、Ｂにおいて電圧値の絶対値をとるのは、上述したように、パルス信号の種類によっては、負の振幅を有するものもあるからである。
【００２８】
上記式中、変数Ａ、Ｂを電圧値の絶対値としたのは、負の振幅を有する直流電圧生成用信号では、電圧値も負の値をとることがあるからである。
また、負の振幅を有する直流電圧生成用信号では、ハイレベル時の電圧値の絶対値のほうがローレベル時の電圧値の絶対値よりも小さくなる。さらに、正負両方の振幅を有する直流電圧生成信号では、該信号の波形によって、ハイレベル時とローレベル時、どちらのほうが電圧値の絶対値が大きいか異なる。そのため上記式中、変数Ａ、Ｂを決める際にハイレベル時とローレベル時の電圧値の絶対値を比較している。
【００２９】
たとえば、正の振幅のみの直流電圧生成用信号において、ハイレベル時の電圧値が30Ｖ、ローレベル時の電圧値が10Ｖ、デューティ比が50％だとする。この場合、上記式より、20Ｖの直流電圧Ｖ１がＣＣＤ１６０に印加される。
【００３０】
上記式より、直流電圧の電圧値Ｖ１は、直流電圧生成用信号の振幅およびデューティ比に依存することが分かる。上記のとおり、直流電圧生成用信号とパルス信号Ｓ１とは略同一状態にある。従って、電源回路１５０ａで生成される直流電圧の値を変化させたい場合には、メイン制御部１２０から送信されるパルス信号Ｓ１の振幅またはデューティ比を変化させればよい。
【００３１】
なおＣＣＤ１６０は、蓄積した電荷を画像信号として画像信号処理回路１３０に出力する際、画像信号増幅器１６０ａによって所定量増幅している。そこで、本実施形態では、電源回路１５０ａで生成される直流電圧をＣＣＤ１６０に印加するだけでなく、画像信号増幅器１６０ａにも印加している。
【００３２】
続いて電源回路１５０ｂについて説明する。電源回路１５０ｂは、メイン制御部１２０から送信される二つのパルス信号を加算して得られた信号に基づいて直流電圧を生成する回路である。プロセッサ１００ａのメイン制御部１２０で生成されたパルス信号Ｓ２およびパルス信号Ｓ３は、それぞれドライブバッファｄｂ２、ドライブバッファｄｂ３を介してスコープ１００ｂ内の電源回路１５０ａに送信される。
【００３３】
電源回路１５０ｂに入力したパルス信号Ｓ２は、分岐点Ｐ２において経路Ｌ３と経路Ｌ４とに分岐される。経路Ｌ３を伝送する信号（分岐点Ｐ２における第一信号）は、バッファ５を介して、メイン制御部１２０が送信したパルス信号Ｓ２と略同一の状態でＣＣＤ１６０に入力しＣＣＤ１６０を駆動させる。つまり、経路Ｌ３を伝送する信号は、電源回路１５０ａにおける経路Ｌ１を伝送する信号と同様に、ＣＣＤ１６０を駆動するための駆動用パルス信号として用いられる。一方、経路Ｌ４を伝送する信号（分岐点Ｐ２における第二信号）は、バッファ６を介して加算器９に入力する。
【００３４】
同様に、電源回路１５０ｂに入力したパルス信号Ｓ３も分岐点Ｐ３において経路Ｌ５と経路Ｌ６とに分岐される。経路Ｌ５を伝送する信号（分岐点Ｐ３における第一信号）は、経路Ｌ３を伝送する信号と同様に駆動用パルス信号として用いられる。つまり、経路Ｌ５を伝送する信号は、バッファ８を介してＣＣＤ１６０に入力し、ＣＣＤ１６０を駆動させる。経路Ｌ６を伝送する信号（分岐点Ｐ３における第二信号）は、バッファ７を介して加算器９に入力する。
【００３５】
加算器９では、入力する二つの第二信号（経路Ｌ４を伝送する信号および経路Ｌ６を伝送する信号）を加算して、一つの信号を生成する処理が行われる。加算器９によって生成された信号は、直流電圧生成用信号として、バッファ１０を介して全波整流回路１１に入力し、整流化される。全波整流回路１１も、ダイオードブリッジ回路である。全波整流回路１１によって整流化された信号は、さらに平滑コンデンサ１２によって平滑化され、直流電圧Ｖ２としてＣＣＤ１６０に印加する。このように電源回路１５０ｂは二つのパルス信号を使用するため、電源回路１５０ａで生成される直流電圧Ｖ１に比べ、生成される直流電圧Ｖ２がとりうる値の幅が広いという特徴がある。つまり、電源回路１５０ｂを使用することにより、任意の値の直流電圧を選択しやすくなる。
【００３６】
なお、電源回路１５０ｂにおいて全波整流回路１１を設けている理由や、正の振幅のみの信号や負の振幅のみの信号といったパルス信号の種類に応じて全波整流回路１１以外の他の構成をとることができる点については、上記電源回路１５０ａの全波整流回路３での説明と同一であるため、ここでの説明は省略する。また、電源回路１５０ｂにおいても、メイン制御部１２０から送信されるパルス信号Ｓ２やパルス信号Ｓ３の振幅やデューティ比を変化させることによって直流電圧の電圧値を変化させることが可能である。
【００３７】
次に抵抗回路１５０ｃについて説明する。抵抗回路１５０ｃは、上述した電源回路１５０ｂと電気的に接続されている。そして、電源回路１５０ｂによって生成された直流電圧Ｖ２を、二つの抵抗１３、１４を用いて抵抗分割し、新たな直流電圧Ｖ３を生成する回路である。生成された直流電圧Ｖ３は、ＣＣＤ１６０に印加される。
【００３８】
なお図示しないが、抵抗回路１５０ｃは、上述した電源回路１５０ａと電気的に接続し、直流電圧Ｖ１を抵抗分割して新たな電圧を生成することも可能である。
【００３９】
以上が本発明の実施形態である。本発明はこれらの実施形態に限定されるものではなく趣旨を逸脱しない範囲で様々な変形が可能である。
【００４０】
上記実施形態では、撮像素子であるＣＣＤ１６０の近傍に電源生成部１５０を配置している。しかし、使用する撮像素子の種類等（たとえば、ＣＭＯＳ（Complementary Metal-Oxide Semiconductor））によっては、電源生成部１５０を該撮像素子に一体形成することも可能である。これにより、スコープ１００ｂのさらなる小型化を図ることができる。
【００４１】
上記では、より多くの実施形態を提示すべく、ＣＣＤ１６０にはそれぞれ異なる電源回路１５０ａ、１５０ｂ、抵抗回路１５０ｃによって生成された直流電圧が印加される構成を示した。しかし電源生成部１５０は、必ずしも該実施形態のような構成にする必要はない。すなわち電源生成部１５０は、上記各回路の任意の組み合わせによって構成することができる。たとえば電源生成部１５０を、上記電源回路１５０ａ、１５０ｂのどちらか一種類だけから構成されるようにすれば、部品を統一することができ、コストダウンが図れる。スコープ１００ｂをより細径化させたいのであれば、簡素な構成の電源回路１５０ａを多用したり、抵抗回路１５０ｃを適宜配設したりするのが好ましい。ＣＣＤ１６０に対して、該ＣＣＤ１６０の仕様により正確な値の電圧を印加したいのであれば、幅広い値を設定しうる電圧を生成可能な電源回路１５０ｂを使用するのが好ましい。
【００４２】
上記実施形態では、画像信号増幅器１６０ａには電源回路１５０ａからの直流電圧Ｖ１が印加されている構成を示したが、あくまでも本発明の一例であってこれに限定されるものではない。すなわち、画像信号増幅器１６０ａを電源回路１５０ｂや抵抗回路１５０ｃに接続する構成にしても良い。
【００４３】
さらに、上記実施形態では、電源回路１５０ｂはパルス信号Ｓ２およびパルス信号Ｓ３の二つを用いて直流電圧生成用信号を生成しているが、二つ以上の複数のパルス信号を加算して直流電圧生成用信号を生成することも可能である。
【００４４】
また、スコープの形状等によっては、伝送する際に生じるパルス信号の減衰等により直流電圧生成用信号の振幅が乱れ、安定した電圧出力が得られなくなることもありうる。また、ＣＣＤ１６０の仕様によっては、直流電圧生成に必要十分なレベルよりも高い振幅のパルス信号を用いた方が好ましい場合もありうる。これらの場合には、バッファ２、１０にスライス作用を付加して入力する信号を所定範囲内の振幅に制限して出力することが可能である。これにより、入力する直流電圧生成用信号の振幅に依存しないで直流電圧生成用信号を生成することが可能になり、常に安定した直流電圧をＣＣＤ１６０に印加することができる。但し、各バッファにリミタ作用を付加すると、生成される電圧の値がデューティ比にのみ依存することに留意する必要がある。
【００４５】
さらに、上記実施形態では、一個の平滑コンデンサ４によって電圧を平滑化させている。ここで、平滑コンデンサ４を二つ倍電圧となるよう配設すれば電圧を２倍にすることが可能である。
【００４６】
【発明の効果】
このように本発明の電子スコープは、プロセッサから送信されるパルス信号を用いて、撮像素子の駆動用直流電圧を生成する構成にすることにより、プロセッサとＣＣＤ間に設けられていた給電ケーブルが不要になり、スコープの細径化を図ることができる。
【００４７】
さらに本発明は、パルス信号を分岐して得られた、該パルス信号と同一状態の信号に基づいて駆動用直流電圧を生成する構成にした。つまり、駆動電圧をパルス信号や画像信号等の他の信号に重畳させずに、パルス信号そのものから必要な電圧を生成する構成にしたことにより、パルス信号や画像信号等に無用なノイズを発生させることなく、必要な駆動用直流電圧を撮像素子に印加することができる。
【図面の簡単な説明】
【図１】本発明の実施形態の電子内視鏡装置の概略構成図である。
【図２】スコープ先端近傍に配設された電源生成部およびその周辺の電気回路図である。
【符号の説明】
３、１１    整流回路
４、１２    平滑コンデンサ
９    加算器
１３、１４    抵抗
Ｐ１、Ｐ２、Ｐ３    分岐点
１００    電子内視鏡装置
１００ａ    プロセッサ
１００ｂ    電子スコープ
１２０    メイン制御部
１５０    電源生成部
１６０    ＣＣＤ
【図１】
0004242088.tif 000002
【図２】
0004242088.tif 000003